(57)【要約】【課題】大量の藁屑を生じる収穫処理についても、構成の大型化を要することなく、効率よく選別処理することができる選別ラックを備えた脱穀装置の揺動選別棚を提供する。  【解決手段】脱穀装置の揺動選別棚は、選別揺動動作する揺動枠体１０ａに選別調節が可能なチャフシーブ１８を支持し、その後方の二番処理用移送螺旋位置で選別しつつ残留藁屑を後送する選別ラック２０を備えて構成され、上記選別ラック２０は、前後方向に延びる複数のラック板３１を平行配置して相互間をカラー３２により隔て、これらを挿通する貫通保持軸３３により軸線方向にスライド可能に支持するとともに、少なくともカラーの１つは軸線方向に圧縮変形可能な弾性部材３４として圧縮状態で装着し、貫通保持軸３３の両端を上記揺動枠体１０ａに取付けて構成したものである。【選択図】図２
2009072076.tif 000002
【特許請求の範囲】
【請求項１】
揺動枠体（１０ａ）に開度調節が可能なチャフシーブ（１８）を支持し、その後方の二番移送螺旋の上方の位置に支持し、残留藁屑を後送する選別ラック（２０）を備え、上記選別ラック（２０）は、前後方向に向かう複数のラック板（３１）を平行配置して相互間をカラー（３２）により隔て、これらを挿通する貫通保持軸（３３）により軸線方向にスライド可能に支持するとともに、少なくともカラーの１つを軸線方向に圧縮変形可能な弾性部材（３４）として圧縮状態で装着し、貫通保持軸（３３）の両端を上記揺動枠体（１０ａ）に取付けて構成したことを特徴とする脱穀装置の揺動選別棚。
【請求項２】
前記ラック板（３１）の前後方向の中間部を貫通保持軸（３３）によって支持することを特徴とする請求項１記載の脱穀装置の揺動選別棚。
【請求項３】
前記貫通保持軸（３３）は、ラック板（３１）を嵌合支持する角型断面部材により構成するとともに、両端を回動調節可能に支持してなることを特徴とする請求項１記載の脱穀装置の揺動選別棚。
【発明の詳細な説明】
【技術分野】
【０００１】
本発明は、揺動枠体に選別ラックを備える脱穀装置の揺動選別棚に関するものである。
【背景技術】
【０００２】
コンバインに搭載される脱穀装置内で脱穀部の下方で穀粒を選別する揺動選別棚は、揺動枠体に選別調節が可能なチャフシーブを支持し、その藁屑送出側の二番螺旋位置に選別ラックを備えて構成される。この選別ラックは、特許文献１に示されるように、前後に長い複数のラック板を板厚方向に間を空けて揺動枠体の幅内に架設したものであり、各ラック板の前端部を支持部材に固定し、全体の揺動動作と後端側の横振動によって二番処理するべき選別粒を篩い分けつつ、藁屑を分離後送することができる。
【０００３】
上記選別ラックの他に、特許文献２、３のように、前端拘束ラック板の傾斜角度を変更可能として送り速度を調節することができる例、中点支持の並列ラック板によって全体の平均的な振動選別を可能とした例がある。
【特許文献１】特開平９−７４８８２号公報
【特許文献２】特開平７−１３５８３８号公報
【特許文献３】特開２００５−５８１５５号公報
【発明の開示】
【発明が解決しようとする課題】
【０００４】
しかしながら、いずれの例についても、送り方向の位置関係および揺動枠体の幅寸法と対応して選別ラックの全体の大きさが制限を受けることから選別ラックの選別処理能力も制限を受け、その結果、藁屑が多い収穫処理の場合に処理速度が追い付かなくなるという問題があった。
【０００５】
解決しようとする問題点は、大量の藁屑を生じる収穫処理についても、構成の大型化を要することなく、効率よく選別処理することができる選別ラックを備えた脱穀装置の揺動選別棚を提供することにある。
【課題を解決するための手段】
【０００６】
請求項１に係る発明は、揺動枠体１０ａに開度調節が可能なチャフシーブ１８を支持し、その後方の二番移送螺旋の上方の位置に支持し、残留藁屑を後送する選別ラック２０を備え、上記選別ラック２０は、前後方向に向かう複数のラック板３１を平行配置して相互間をカラー３２により隔て、これらを挿通する貫通保持軸３３により軸線方向にスライド可能に支持するとともに、少なくともカラーの１つを軸線方向に圧縮変形可能な弾性部材３４として圧縮状態で装着し、貫通保持軸３３の両端を上記揺動枠体１０ａに取付けて構成したことを特徴とする。
【０００７】
上記選別ラック２０の複数のラック板３１は、カラー３２によって間が隔てられつつ圧縮装着された弾性部材によって貫通保持軸３３の軸線方向に弾性保持され、揺動枠体１０ａの選別揺動動作によって選別ラックが揺動されると、スライド動作可能な並列配置の各ラック板３１は自由端が左右方向に振動するとともに、保持部が弾性部材の変形範囲で貫通保持軸３３に沿って左右動作する。
【０００８】
請求項２に係る発明は、請求項１の構成において、前記ラック板３１の前後方向の中間部を貫通保持軸３３によって支持することを特徴とする。
上記ラック板３１は、前後端の自由端部と中間位置の支持部の振動幅が平均化される。
【０００９】
請求項３に係る発明は、請求項２の構成において、前記貫通保持軸３３は、ラック板３１を嵌合支持する角型断面部材により構成するとともに、両端を回動調節可能に支持してなることを特徴とする。
角型断面部材の貫通保持軸３３を回動調節することにより、複数のラック板３１の姿勢を相互に維持しつつ全体の傾斜が変更可能となる。
【発明の効果】
【００１０】
請求項１の発明は、選別ラック２０の複数のラック板３１がカラー３２によって間が隔てられつつ圧縮装着された弾性部材によって貫通保持軸３３の軸線方向に弾性保持されることから、選別ラック２０が揺動されると、スライド動作可能な並列配置の各ラック板３１は自由端が左右振動するとともに、保持部が弾性部材の変形範囲で貫通保持軸３３に沿って左右動作する。したがって、選別ラック２０は、シム調節等による煩雑な組付け操作を要することのない簡易な構成により、各ラック板３１の保持部を含む全体の振動動作により、寸法増加を要することなく、選別処理能力を向上することができる。
【００１１】
請求項２の発明は、上記請求項１記載の発明の効果に加えて、ラック板３１について前後端の自由端部と中間位置の支持部の振動幅が平均化されて選別ラック２０の長手方向について選別作用が均一化されることから、過大な振動による選別障害を招くことなく、選別精度を向上することができる。
【００１２】
請求項３の発明は、上記請求項１記載の発明の効果に加え、角型断面部材の貫通保持軸３３を回動調節することにより、複数のラック板３１の姿勢を相互に維持しつつ全体の傾斜を変更して、送り速度を簡易に調節することができる。
【発明を実施するための最良の形態】
【００１３】
上記技術思想に基づいて具体的に構成された実施の形態について以下に図面を参照しつつ説明する。
図１はコンバインの脱穀装置を示している。脱穀装置は、機体前部Ｆからフィードチエン（不図示）により刈取り穀稈の株元を挟持しながら搬送し、扱室２内で回転駆動される扱胴３により穂先部を脱穀するように構成し、脱穀処理されて受網４を漏下した脱穀処理物を下方の選別部５で穀粒、穀稈付き穀粒等の二番物及び藁屑類に選別し、選別された穀粒を不図示の一番揚穀機により不図示のグレンタンクに揚穀貯溜し、二番物を不図示の二番揚穀機により後述の処理室７に還元して再度脱穀処理し、藁屑類は選別部５の後部から排塵ファン８により機外に排出するように構成している。
【００１４】
また、扱室２の横側方には処理室７を配置し、処理室７には処理胴９を回転自在に設けている。この処理胴９の機体前側部を小径処理胴９ａに、後側を大径処理胴９ｂとして構成して、処理室７における小径処理胴９ａの後端部に不図示の二番揚穀機からの二番物を還元し機体前部Ｆ方向に送りながら再度の脱穀処理をし、また、処理室７における大径処理胴９ｂの前端部に扱室２の下手側に送られた未脱穀物を供給して機体後部Ｒ側に送りながら脱穀処理し藁屑類を揺動選別棚１０の下手側に供給するように構成している。
【００１５】
選別部５は次のように構成されている。即ち、扱室２から漏下した脱穀物を揺動移送しながら篩い選別する揺動選別棚１０、この揺動選別棚１０に選別風を供給して脱穀物を風選し藁屑類を移送下手側に吹き飛ばす唐箕１１、選別された穀粒を受ける一番ラセン付き一番受樋１２、選別された二番物を受ける二番ラセン（二番移送螺旋）付き二番受樋１３、揺動選別棚１０で選別されて後側に吹き飛ばした藁屑類を機外に排出する排塵ファン８等により構成されている。
【００１６】
揺動選別棚１０は、スライド案内溝１４とクランク揺動機構１５により揺動される平面長方形状で中抜き構成の揺動枠体１０ａの内側上部には粗選別部Ａを構成している。この粗選別部Ａは、網体で構成されていて穀粒の漏下するグレンシーブ１７、選別量調節が可能なチャフシーブ１８、チャフシーブ１８の上方に設けた前部ストローラック１９、チャフシーブ１８の下手側に位置する選別ラック２０により構成されており、扱室２から漏下した脱穀物を受けて揺動移送しながら粗選別する構成である。
【００１７】
そして、チャフシーブ１８は、左右方向延びる複数のチャフ板１８ａ，…を横軸芯回りに回動調節自在に構成して並列配置し、これらチャフ板１８ａ，…をチャフシーブ連動板２１に連係し、例えば、調整モータ（図示省略）によりチャフシーブ連動板２１を前後移動しチャフ板１８ａ，…の傾斜角度を緩急に調整可能に構成している。
【００１８】
また、前部ストローラック１９は、その前端部を扱室２の下手側端部下方に設けた排塵口２ａの下方に配置し、選別篩い動作により残留藁屑を後送する。
【００１９】
揺動枠体１０ａの内側下部には、選別網で構成されていて穀粒の漏下する精選別部Ｂを移送上手側から移送下手側にわたって設け、粗選別部Ａから漏下した穀粒を主体とする被選別物を揺動移送しながら選別し、穀粒を移送上手側の一番受樋１２に選別漏下し、二番物を移送下手側に配置した二番受樋１３に落下選別するように構成している。
【００２０】
次に、選別ラック２０の構成について図２の拡大平面図（ａ）およびその側面図（ｂ）により詳細に説明する。
選別ラック２０は、送り歯２０ａを側辺に備えて前後方向に延びる板ばね状の複数のラック板３１…を平行配置して相互間を所定長さのカラー３２…により隔て、これらを挿通する貫通保持軸３３によって軸線方向にスライド可能に支持し、各ラック板３１…は前後方向になるように貫通保持軸３３を左右方向としてその両端３３ａ、３３ａを上記揺動枠体１０ａに取付ける。この場合において、少なくともカラーの１つは軸線方向に圧縮変形可能なコイルスプリング３４等の弾性部材によって構成し、これを圧縮状態で装着する。
【００２１】
上記構成の選別ラック２０の複数のラック板３１…は、カラー３２…によって間が隔てられつつ圧縮装着された弾性部材３４によって貫通保持軸３３の軸線方向に弾性保持される。揺動枠体１０ａの選別揺動動作によって選別ラック２０が揺動されると、スライド動作可能な並列配置の各ラック板３１…は、それぞれの自由端が左右振動するとともに、貫通保持軸３３による保持部が弾性部材３４の変形範囲で同貫通保持軸３３の軸線に沿って左右動作する。したがって、選別ラック２０は、シム調節等による煩雑な組付け操作を要することなく、簡易な構成により、各ラック板３１…の保持部を含む全長に及ぶ振動動作により全体の選別能力を向上することができる。
【００２２】
また、上記選別ラック２０のラック板３１…については、図３の拡大側面図に示すように、前後方向の中間部位置を貫通保持軸３３によって支持することにより、ラック板３１…について前後の自由端部と中間の支持部の振動幅が平均化され、選別ラック２０の長手方向について選別作用を均一化することができる。したがって、ラック板３１…を片持ち支持構成とした場合に避けられない大きな左右振動による藁屑の混入や支持部の破損を防止することができる。
なお、カラー３２…によって全ラック板３１…を固定保持する場合についても、上記のようなラック板３１…の中間位置を支持する構成は、一定の効果を得ることができる。
【００２３】
また、上記貫通保持軸３３は角型断面部材によって構成し、両端の取付プレート３５、３５に形成した角形嵌合孔３５ａ、３５ａに挿通接続し、また、取付け用長穴３５ｂを形成してその範囲で回動調節可能に取付けることにより、複数のラック板３１…の姿勢を相互に維持しつつ全体の傾斜を調節して藁屑の送り速度を簡易に調節することができる。
この場合において、貫通保持軸３３の一端側の取付プレート３５の嵌合孔を円形とすることにより、片側作業によって角度調整が可能となる。
【００２４】
また、ラック板３１…の間隔設定例の平面図を図４（ａ）（ｂ）に示すように、弾性部材３４の圧縮力の範囲で、カラー３２…とシム３２ａ…の組合せにより、煩雑な寸法合わせを要することなく、ラック板３１…の間隔設定が可能となる。
【００２５】
次に、前部ストローラックについて説明する。
前部ストローラック１９は、図５の拡大平面図（ａ）およびその側面図（ｂ）に示すように、上記選別ラック２０に準じて構成するとともに、ラック板３１…の間隔設定が左半部を広く、右半部を狭く構成する。このような間隔設定により、排塵物を拡散させることができる。
この場合において、前部ストローラック１９は、上記選別ラック２０と部品を共用することにより、選別性能を確保しつつ、コストダウンが可能となる。
【００２６】
また、貫通保持軸３３の両端の取付プレート３６、３６については、上記選別ラック２０と同様の取付け用の長穴を形成することにより、全体の取付け角度を可変として条件適応性を向上することができる。
【００２７】
また、前部ストローラック１９には、図６の側面図に示すように、傾斜調節機構を設ける。この傾斜調節機構は、チャフシーブ１８と連結する連動機構４１により、例えば、チャフシーブ１８が開くと前部ストローラック１９の角度が立つように構成することにより、動作条件に応じて抵抗を変更することができる。
【００２８】
次に、前部ストローラックの別の構成例（１）について説明すると、図７の部分展開図を含む平面図に示すように、プレスによる一体部材４２として本体取付け部分４２ａおよびラック部分４３…を構成する。ラック部分４３…は後ろ上がりに構成し、部位別にその長さ（Ｌ１）を変更し、例えば、排塵物が集中する部分を長く（Ｌ２、Ｌ３）することにより、拡散効果を向上することができる。
【００２９】
また、前部ストローラックの別の構成例（２）として図８の側面図に示すように、ラック板３１…の傾斜を部分的に変更し、具体的には、後端位置が左側（図の手前側）を低く、右側（図の奥側）を高く構成することにより、排塵物を拡散させることができる。
また、前部ストローラックの別の構成例（３）として図９の平面図に示すように、ラック板３１…の始端側の長さを部分的に変更し、左半側Ｌ１を短く、右半側Ｌ２を長く構成することにより、排塵物を分離することができる。
【図面の簡単な説明】
【００３０】
【図１】コンバインの脱穀装置の内部構成説明用の透視側面図
【図２】選別ラックの拡大平面図（ａ）およびその側面図（ｂ）
【図３】ラック板の拡大側面図
【図４】ラック板の間隔設定例の平面図（ａ）（ｂ）
【図５】前部ストローラックの拡大平面図（ａ）およびその側面図（ｂ）
【図６】前部ストローラックの傾斜調節機構の側面図
【図７】前部ストローラックの別の構成例（１）の部分展開図を含む平面図
【図８】前部ストローラックの別の構成例（２）の側面図
【図９】前部ストローラックの別の構成例（３）の平面図
【符号の説明】
【００３１】
２      扱室
２ａ    排塵口
５      選別部
７      処理室
１０    揺動選別棚
１０ａ  揺動枠体
１８    チャフシーブ
１９    前部ストローラック
２０    選別ラック
２０ａ  ラック歯
３１    ラック板
３２    カラー
３２ａ  シム
３３    貫通保持軸
３３ａ  両端
３４    コイルスプリング（弾性部材）
３５    取付プレート
【図１】
2009072076.tif 000003
【図２】
2009072076.tif 000004
【図３】
2009072076.tif 000005
【図４】
2009072076.tif 000006
【図５】
2009072076.tif 000007
【図６】
2009072076.tif 000008
【図７】
2009072076.tif 000009
【図８】
2009072076.tif 000010
【図９】
2009072076.tif 000011